(57)【特許請求の範囲】
【請求項１】
カメラにマウントされ、外周に回動操作可能な調節リングを備えてなる鏡筒を覆う防塵カバー装置であって、
円筒状の鏡筒カバーと、
該鏡筒カバーとカメラとを結合するべく前記カメラに固定されてなる円筒状の鏡筒カバー保持部材と、
鏡筒調節リング操作機構とを備え、
鏡筒調節リング操作機構は、円筒状の鏡筒カバー保持部材に回動可能に外嵌された操作リングを有し、該操作リングの回動に連動して前記調節リングが回動されるようにしたことを特徴とするカメラの鏡筒防塵カバー装置。
【請求項２】
前記鏡筒調節リング操作機構は、
前記操作リングと、
前記鏡筒カバー保持部材内の内周円筒面に遊嵌された中継環とを有し、該中継環と前記調節リングとが連結されていることを特徴とする請求項１に記載のカメラの鏡筒防塵カバー装置。
【請求項３】
鏡筒調節リング操作機構が押さえピンを有する調節リング遊動防止機構を備えたことを特徴とする請求項１、または請求項２に記載のカメラの鏡筒防塵カバー装置。
【請求項４】
前記調節リングは、絞り調節リングであり、前記中継環と前記絞り調節リングとが連結されたことを特徴とする請求項２に記載のカメラの鏡筒防塵カバー装置。
【請求項５】
前記調節リングは、フォーカスリングであり、前記中継環と前記フォーカスリングとが連結されたことを特徴とする請求項２に記載のカメラの鏡筒防塵カバー装置。
【発明の詳細な説明】
【０００１】
【産業上の利用分野】
本発明は、ＣＣＤ撮像素子を内蔵したカメラの鏡筒の防塵カバー装置に関するものである。
【０００２】
【従来の技術】
ＣＣＤカメラにはその内部レンズ系の焦点位置にＣＣＤ撮像素子が配置されるとともにレンズを有する鏡筒がマウントされる。その鏡筒にはフオーカスリング、絞り調節リングが備えられている。
このようなＣＣＤカメラを生産工場内で使用するとき、鏡筒の全体を覆うカバーによってレンズと調節リングを粉塵、異物の侵入、および接触による損傷から保護する必要がある。
【０００３】
【発明が解決しようとする課題】
しかしながら、このような鏡筒カバー付きＣＣＤカメラでは撮像の際に、絞り調節リング、またはフオーカスリングを操作設定する度に、鏡筒カバーを取り外さなければならない不便さがある。
また、撮像データを画像処理するために被写体に応じて正確に絞り調節リングを設定しなければならないが、予め精密に設定しておくことにも支障がある。従来のクリック機構による絞り調節リングの位置保持角度の間隔が１０゜前後と粗いため任意角度に設定保持できないためである。
【０００４】本発明が解決しようとする課題は、カメラから取り外すことなく、調節リングを操作可能にし、設定位置を保持できるようにした鏡筒防塵カバー装置を得ることにある。
【０００５】
【課題を解決するための手段】
本願の一の発明は、カメラにマウントされ、外周に回動操作可能な調節リングを備えてなる鏡筒を覆う防塵カバー装置であって、円筒状の鏡筒カバーと、該鏡筒カバーとカメラとを結合するべく前記カメラに固定されてなる円筒状の鏡筒カバー保持部材と、鏡筒調節リング操作機構とを備え、鏡筒調節リング操作機構は、円筒状の鏡筒カバー保持部材に回動可能に外嵌された操作リングを有し、該操作リングの回動に連動して前記調節リングが回動されるようにして構成されている。本願の他の発明は、さらに、前記鏡筒調節リング操作機構は、前記操作リングと、前記鏡筒カバー保持部材内の内周円筒面に遊嵌された中継環とを有し、該中継環と前記調節リングとが連結されて構成されている。本願の他の発明は、鏡筒調節リング操作機構が押さえピンを有する調節リング遊動防止機構を備えて構成されている。本願の他の発明は、前記調節リングは、絞り調節リングであり、前記中継環と前記絞り調節リングとが連結されて構成されている。本願の他の発明は、前記調節リングは、フォーカスリングであり、前記中継環と前記フォーカスリングとが連結されて構成されている。
【０００６】
【作用】
鏡筒防塵カバー装置を装着したままで、鏡筒調節リング操作機構の操作リングを回動することにより、伝達ピン、中継環を順次連動させて鏡筒の絞り調節リン  グを操作する。
調節リング遊動防止機構の押さえピンにより絞り調節リングを設定された角度位置に保持する。
【０００７】
【実施例】
本発明の実施例につき図面を参照して説明する。
図１において、１は直方体のケースをもつＣＣＤカメラ本体であり、その内部レンズ系の焦点位置にＣＣＤ撮像素子Ｅが配置されている。カメラ本体は公知の手段によって取付台に保持されている。
該カメラ本体には鏡筒２がマウントされており、鏡筒２はフオーカスリング２１と絞り調節リング２２を備えている。
鏡筒２の全体を覆って防塵カバー装置３が配置される。防塵カバー装置３は、円筒状の鏡筒カバー３１と、円筒状の鏡筒カバー保持部材４、および調節リング操作機構を備えている。鏡筒カバー３１はその前面端部に保護ガラス３２を有し、その他端内側には雌ねじ３３が刻設されている。鏡筒カバー保持部材４は図示しないネジによってカメラ本体１に接合固定されている。
【０００８】
外部から絞り調節リング２２を操作するための操作リング５は鏡筒カバー保持部材４に回転可能に外嵌されている。５０は絞り調節リング２２に外嵌され、かつ、カバー保持部材４の内周円筒面に遊嵌された中継環、５１は該中継環の円柱状外周面、５３は中継環５１の端面に形成された切り欠き、５４は絞り調節リング２２と中継環５０とを連結して一体回転させるための止めネジである。
図２は図１のＡ−Ａ断面を示し、絞り調節リング２２の遊動を防止するための機構６が鏡筒カバー保持部材４に固定されている。
６１は扁平頭部を有した樹脂材料からなる押さえピンであり、鏡筒カバー保持部材４を貫通する孔に遊嵌している。押さえピン６１が中継環の円柱状外周面５２に押圧されることにより中継環５１の回動が拘束される。６２は押さえネジ、６３は摘み部、６４はロックナット、６５は押さえネジのための抜け止めリング６５、６６はネジホルダー、６７は該ネジホルダーをカバー保持部材４に取付るための取付ネジである。
【０００９】
図３は、調節リング操作機構を説明する分解配列図であり、中継環５０に配設された前記止めネジ５４によって該中継環５０と絞り調節リング２２との連結が保たれる。
鏡筒カバー保持部材４の周面には長孔、若しくは切り欠き４２が透設され、その他端に雄ネジ４３が刻設されている。雄ネジ４３は鏡筒カバーの雌ねじ３３と螺合する。長孔４２は操作リング５が組合わされて封口されているため、鏡筒防塵カバー装置の内部に粉塵や異物が侵入することがない。
操作リング５には伝達ピン５２がネジ固着されるとともに、該伝達ピン５２は保持部材４の周面の長孔内を回動可能に通過し、該伝達ピンの先端部５２ａは中継環５０の端面に等間隔に複数形成された切り欠き５３の一ヶ所に係合するようになっている。
【００１０】
絞り調節リング２２の設定を変更するには、先ずロックナット６４、押さえネジ６２を緩め、中継環５０を押さえピンの拘束から解除する。その上で操作リング５を回動して伝達ピン５２、中継環５０を順次連動させて鏡筒の絞り調節リング２２を操作する。操作が完了したとき押さえネジ６２を締め戻し、押さえピン６１を押圧し、そのままでロックナット６４を締め付ければよい。変更された調節リング２２の位置がそれによって保持される。
【００１１】
なお、本実施例とは別に、調節リング操作機構を複数併設して、絞り調節リングとフオーカスリングをそれぞれ操作設定するようにしてもよい。
【００１２】
【発明の効果】
カメラの鏡筒を覆って配置された防塵カバー装置を取り外すことなく、外部から操作して、鏡筒調節リングを操作し設定できる。そのため粉塵など工場環境にかかわりなくＣＣＤカメラを作動させて最良の撮像結果を得る事が可能となる。
【図面の簡単な説明】
【図１】本発明の要部断面図
【図２】図１のＡ−Ａ断面図
【図３】調節リング操作機構の分解説明図
【符号の説明】
１    ＣＣＤカメラ本体
２  鏡筒
２２  絞り調節リング
３  防塵カバー装置
４  鏡筒カバー保持部材
５  調節リング
【図１】
0003563249.tif 000002
【図２】
0003563249.tif 000003
【図３】
0003563249.tif 000004